(57)【特許請求の範囲】
【請求項１】
部屋の周縁と畳端との間隙又は畳端同士の間隙内に挟み込み、各間隙の巾のばらつきを調整するための棒状の部材であって、巾調整層（６）の両側に２枚の弾力層（４）を接着してなる３層構造の間詰め材（２）を具備し、
上記弾力層（４）をゴム弾性を有する素材で、また巾調整層（６）を、多数の連続気泡を含みかつ弾力層（４）より圧縮容易な柔軟な素材で、巾方向にそれぞれ圧縮及び復元可能に形成し、
また上記弾力層４は、畳との挟着力を十分に発揮できる巾及び弾性を有し、かつ巾調整層に比べて上方からの荷重に対して大きな弾力を発揮しかつ屈曲しにくい弾性板として形成しており、
上記巾調整層（６）は、上記畳端沿いの間隙内にフィットさせるために十分な巾を有することを特徴とする、畳用隙間充填器具。
【請求項２】
上述の３層構造の間詰め材（２）と、この間詰め材の少なくとも長手方向の一部上面に載置するための耐力板（１２）とを含み、
この耐力板（１２）は、圧縮していない状態での巾調整層よりも巾が広く、積層構造（３）の巾方向の伸縮を妨げないように２枚の弾力層（４）の各上面の間に架け渡されており、
さらに耐力板（１２）は、人の体重を支えることが可能な程度の強度を有することを特徴とする、請求項１記載の畳用隙間充填器具。
【請求項３】
部屋の周縁と畳端との間隙又は畳端同士の間隙内に挟み込み、各間隙の巾のばらつきを調整するための棒状の部材であって、弾力層（４）の両側に２枚の巾調整層（６）を接着してなる３層構造の間詰め材（２）と、
それら両巾調整層（６）を保護するための補剛材（２０）と、を具備し、
上記弾力層（４）をゴム弾性を有する素材で、また巾調整層（６）を、多数の連続気泡を含みかつ弾力層（４）より圧縮容易な柔軟な素材で、巾方向にそれぞれ圧縮及び復元可能に形成し、
上記弾力層（４）は、畳との挟着力を十分に発揮できる巾及び弾性を有しており、
上記巾調整層（６）は、上記畳端沿いの間隙内にフィットさせるために十分な巾を有し、
上記補剛材は、間詰め材（２）の巾方向の伸縮を妨げないように、各巾調整層（６）を保護する２つのピース（２０Ａ、２０Ｂ）で形成されており、
各ピースは、少なくとも各巾調整層の巾方向外側面を覆う側板（２２）と、各側板の上端から積層構造（３）の上面に沿って内方へ突出する頂板（２６）とを有し、
間詰め材（２）を巾方向に最大限圧縮したときに、２つのピースが合わさって間詰め材２の上面全体を覆うように構成したことを特徴とする、畳用隙間充填器具。
【請求項４】
上記間詰め材（２）と、この間詰め材の積層構造（３）の少なくとも上半部を覆う化粧カバー（１４）とで形成され、
かつこの化粧カバーにしわ加工を施したことを特徴とする、請求項１から請求項３の何れかに記載の畳用隙間充填器具。
【請求項５】
請求項１から請求項４に記載した畳用間隙充填器具（２０）を端部材として、長方形の畳状マット体（３０）の１辺側の側面全長、或いは畳状マット体（３０）の隣接する２辺の各側面全長に付設したことを特徴とする、畳状マット。
【発明の詳細な説明】
【技術分野】
【０００１】
本発明は、畳用隙間充填器具及び畳状マットに関する。
【背景技術】
【０００２】
従来、畳を作るときには、予め室内の寸法を測り、その部屋の各部分の寸法に合致するような縦・横幅を有する畳を個々に製造する。従って、遠目には同形・同寸の畳であっても厳密には一枚ごとに形も大きさも異なる。
【０００３】
何故このようにするかと言えば、住居を建てる際にどうしても部屋の縦横の寸法に施工誤差が発生してしまうからである。そうした誤差は、８畳程度の大きさの部屋で通常０．５〜１．５ｃｍ程度、場合によってはそれ以上にもなることがある。こうした誤差を無視して、事前に規則正しい矩形の一定サイズの畳を製造すると、部屋の周縁との間に隙間を生じたり、無理に畳を敷き詰めようとしても畳を敷ききることができないおそれがあるからである。
【０００４】
不整な部屋の周縁と畳端との隙間を埋める間詰め材として、鋭角三角形状のプラスチック製のものが提案されているが（特許文献１）、もともと部屋の形状が設計図通りの長方形状からどの程度ずれているかは現場に行かなければ判らない。プラスチック製の間詰め材では、形状の自由度に乏しいので、まず現場に行って部屋の形状を正確に測り、次に施工誤差にあった形の間詰め材を製作し、再び現場に出向いて間詰め材を用いながら畳を敷くということが必要となり、作業が煩雑である。
【０００５】
こうした不便を避けるために、畳と壁との間、又は畳と畳との間に弾性を有する棒状の間詰め材が提案されている（特許文献２、特許文献３）。特許文献２は、出願人が提案したものであって畳端と同じ長さの厚さ２０〜５０ｍｍ、巾２５〜３５ｍｍ程度の断面方形のものであり、樹脂発泡体やゴム発泡体で形成されている。特許文献３は、断面逆Ｖ字形で内側に空間を有する間詰め材であり、巾方向に弾性圧縮可能に形成している。
【特許文献１】特開２００１−２０７６２７
【特許文献２】特開２００６−１５２７７９
【特許文献３】実開平０２−１１８０３３
【発明の開示】
【発明が解決しようとする課題】
【０００６】
特許文献２の様な断面矩形の間詰め材をゴムなどで形成すると圧縮可能な巾が不足し、またスポンジなどで形成すると十分な挟持力が得られない。これに対して特許文献３の間詰め材は、畳端沿いの間隔が大きすぎると、逆Ｖ字形の間詰め材が十分に圧縮されないので、逆Ｖ字の頂部と畳端との間に隙間が残り、埃が溜まる可能性がある。
【０００７】
こうした問題点を改良するため、本出願人は、隙間を生じにくい断面矩形の間詰め材であって、ゴムよりは圧縮し易くスポンジよりは弾性のある素材で形成したものを、試作した。ところが一種類の材料で必要な誤差を吸収できるものを作ろうとすれば、かなりの柔軟性が必要となる。柔らかい間詰め材を堅い畳の縁に沿って配置すると、居住者のつま先が間詰め材を踏んだときに間詰め材が沈み込み、歩きにくいことが判った。
【０００８】
そこで本発明は、弾力層と巾調整層とを組み合わせた積層構造の間詰め材を用いた畳用隙間充填器具を提案して、畳端沿いの間隙の巾を容易にかつ確実に調整できるようにすることを目的とする。
【課題を解決するための手段】
【０００９】
第１の手段は、畳用隙間充填器具であり、
部屋の周縁と畳端との間隙又は畳端同士の間隙内に挟み込み、各間隙の巾のばらつきを調整するための棒状の部材であって、巾調整層６の両側に２枚の弾力層４を接着してなる３層構造の間詰め材２を具備し、
上記弾力層４をゴム弾性を有する素材で、また巾調整層６を、多数の連続気泡を含みかつ弾力層４より圧縮容易な柔軟な素材で、巾方向にそれぞれ圧縮及び復元可能に形成し、
また上記弾力層４は、畳との挟着力を十分に発揮できる巾及び弾性を有し、かつ巾調整層に比べて上方からの荷重に対して大きな弾力を発揮しかつ屈曲しにくい弾性板として形成しており、
上記巾調整層６は、上記畳端沿いの間隙内にフィットさせるために十分な巾を有する。
【００１０】
本手段では、畳端沿いの間隙内に挿入する間詰め材であって、異種の材料からなる複数の層からなるものを提案している。前述の如く間詰め材を単一材料では部屋の成形誤差に対応しにくいからである。例えば縦４ｃｍ×巾３ｃｍのサイズの軟質ゴム製とすると、人の力で圧縮できる巾はおおよそ０．５〜１ｃｍ程度であり、部屋の施工誤差が１ｃｍ以上あると間隙をぴったり埋めることができない。また柔らかい発泡ウレタンなどを用いると、圧縮比率が大きくなるが、弾性力が弱くなって畳と部屋の縁（枠）との間隙から抜け出し易い。本手段の如く、巾方向（水平方向）に柔らかい素材と弾性のある素材とを層状に重ねることで適当な圧縮比率が得られ、また踏み抜きにくい構成を実現できる。
【００１１】
「弾力層」は、積層構造のうち主として弾力を発揮する機能を担う部分である。もっとも弾性変化の結果として巾調整機能も果たすことはもちろんである。弾力層はゴム弾性を有する素材で形成する。板バネやスプリングなどの弾性（エネルギー弾性）を利用する場合と比べて構造がシンプルとなり、好適である。望ましい材料は、ゴム（天然ゴム・合成ゴム）であって人の指の力で圧縮可能な程度のものである。
【００１２】
弾力層は「畳との挟着力を十分に発揮できる巾及び弾性」を有する。このようにしたのは、柔軟な巾調整層に比べて弾力層の巾が短すぎると、十分な挟着力を発揮できないからである。少なくとも下記の巾調整層が限界まで圧縮された状態で（本願図３（Ｃ）参照）、部屋の周縁と畳端との間に間詰め材をしっかり保持できるように設けるものとする。例えば軟材質の巾は０．５〜１ｃｍ程度であれば十分である。この数値の範囲は、少ない材料で巾調整層の巾を十分にはこの範囲が合理的であるという程度の意味であり、これより広いものを除外する意図ではない。巾が狭いときには、硬度の高いものを選択するようにすると足で踏んだときの沈みを少なくすることができる。
【００１３】
「巾調整層」は、積層構造のうち主として圧縮による巾調整の機能を担う部分である。もちろん巾調整層も圧縮後に原形状に復元する性質を有する。巾調整層の素材は、多数の連続気泡を有する多孔材料である。圧縮により多孔材料中の空間（孔）が押し潰されることで、ゴムより簡単に圧縮することができる。「連続気泡」と限定しているのは、圧縮したときに気泡内のエアが外部に排出されないと、圧縮しにくいからである。この巾調整層は、スポンジ、ウレタンフォームなどで形成することができる。
【００１４】
巾調整層は「畳端沿いの間隙内にフィットさせるために十分な巾」を有する。ここでフィットとは上記間隙内に隙間無く嵌め込むということである。また、フィットさせるために十分な巾とは、部屋の縦横の寸法の施工誤差を吸収するのに十分な巾という程度の意味であり、おおよそ施工誤差と同程度とすれば足りる。通常は、２ｃｍ〜５ｃｍ程度である。好適な一例として、例えば矩形の部屋の相互に対向する二辺の長さの差がΔＬであるとして、部屋の四辺に渡って部屋の周縁と畳端との間にのみ間詰め材を設置するときには、２辺の長さ方向の誤差を２本の間詰め材で吸収することになるので、各間詰め材の巾調整層の巾Ｄは、Ｄ＝ΔＬ／２とすることができる。しかし、例えばその部屋が大広間であって、Ｄが大きすぎれば畳と畳との間に間詰め材を挿入し、３本以上の間詰め材に巾の調整分を分担させることもできる。
【００１５】
「積層構造」は、ゴム弾性を有する第１の層（弾力層）とこれより柔軟で圧縮し易い第２の層（巾調整層）とを組み合わせて、２段階の圧縮変形をするようにしている。即ち、巾調整層の気泡が押し潰されるまでは巾調整層の縮巾により容易に圧縮することができる。巾調整層内の気泡が押し潰された後は、弾力層の圧縮が本格的に開始し、外部の圧縮力に対して大きな弾発力を発揮する。積層構造としては、弾力層−巾調整層の２層構造でもよく、後述のような弾力層−巾調整層−弾力層、或いは巾調整層−弾力層−巾調整層の３層構造でもよい。この積層構造全体としての巾は、好適な一例として、力を加えていない状態で４〜４．５ｃｍ、限界まで圧縮された状態で１〜１．５ｃｍとすることができる。
【００１７】
さらに本手段では、巾調整層の両側にそれぞれ弾力層を接着することで、これらの弾力層の保護層として機能するようにしている。柔軟な巾調整層が外側にむき出しになっていると、この層が他物に触れて千切れたり、磨耗する可能性があるからである。また、弾力層は保形性を有する板材とすることで、作業途中で弾力層がみだりに曲がることを防止できる。
【００１８】
第２の手段は、第１の手段を有し、かつ
上述の３層構造の間詰め材２と、この間詰め材の少なくとも長手方向の一部上面に載置するための耐力板１２とを含み、
この耐力板１２は、圧縮していない状態での巾調整層よりも巾が広く、積層構造３の巾方向の伸縮を妨げないように２枚の弾力層４の各上面の間に架け渡されており、
さらに耐力板１２は、人の体重を支えることが可能な程度の強度を有する。
【００１９】
本手段では、利用者が３層構造のうちの巾調整層をつま先で踏み、踏んだ場所が沈みこむことがないように２枚の弾力層の間に耐力板を架設している。もっとも間詰め材の長手方向のうち強く圧縮された部分では、巾調整層も踏み込みによって沈み込むことがないので耐力板は不要である。従って間詰め材の長手方向のうち圧縮の程度の低い箇所にだけ耐力板を取り付けるようにすることもできる。この場合には、耐力板は現場で長さを調整できるようにカッターなどで切断可能な材料で形成するとよい。また間詰め材の長手方向全長に亘って耐力板を設けるときには、圧縮された状態の積層構造よりも巾の狭く設ける。
【００２０】
「耐力板」は、居住者の体重を支えることができる程度の強度に形成する。体重を支えるとは足で踏んで破損しないということであり、多少屈曲しても構わない。硬質のゴムや合成樹脂で形成することができる。積層構造に対する取り付け方は、単純に積層構造の上に載せるだけでもよいが、例えば巾調整層の上面に接着してもよく、また積層構造の上に耐力板を載せ、さらに耐力板の上から積層構造の両側面へ覆い（例えば後述の化粧カバー）を取り付け、この覆いにより保持してもよい。
【００２１】
第３の手段は、畳用隙間充填器具であり、
部屋の周縁と畳端との間隙又は畳端同士の間隙内に挟み込み、各間隙の巾のばらつきを調整するための棒状の部材であって、弾力層４の両側に２枚の巾調整層６を接着してなる３層構造の間詰め材２と、
それら両巾調整層６を保護するための補剛材２０と、を具備し、
上記弾力層４をゴム弾性を有する素材で、また巾調整層６を、多数の連続気泡を含みかつ弾力層４より圧縮容易な柔軟な素材で、巾方向にそれぞれ圧縮及び復元可能に形成し、
上記弾力層４は、畳との挟着力を十分に発揮できる巾及び弾性を有しており、
上記巾調整層６は、上記畳端沿いの間隙内にフィットさせるために十分な巾を有し、
上記補剛材は、間詰め材２の巾方向の伸縮を妨げないように、各巾調整層６を保護する２つのピース２０Ａ、２０Ｂで形成されており、
各ピースは、少なくとも各巾調整層の巾方向外側面を覆う側板２２と、各側板の上端から積層構３の上面に沿って内方へ突出する頂板２６とを有し、
間詰め材２を巾方向に最大限圧縮したときに、２つのピースが合わさって間詰め材２の上面全体を覆うように構成している。
【００２２】
本手段には、段落００１０から段落００１５に記載した事項を援用する。さらに本手段では、２つの巾調整層を弾力層の両側に設置することで、巾調整層のもともとの長さ（原寸）の和を大きくとることができるようにしている。こうすることで部屋の施工誤差が大きいケースに容易に対応することができる。さらにまた本手段は、下記の補剛材を有する。
【００２３】
「補剛材」は、２つの巾調整層の保護手段としての機能を有し、柔らかい巾調整層が擦り切れることを防止している。好ましい一例として、補剛材は、断面長方形の管材を巾方向に二つのピースに分割し、このピースを間詰め材の巾方向両側に取り付けるようにするとよい。巾方向に圧縮した状態では２つのピースは相互に接合し、その内部に間詰め材が保持される。後述の好適な実施例では、２つのピースを、長手方向から見て、下辺（底板）に比べて上辺（頂板）の長い変形コ字形のピースと、Ｌ字形のピースとに形成しているが、その形状は適宜変更することができ、例えば相互に向かい合うコ字形としてもよい。尚、補剛材は、側板の上下長を間詰め材の上下厚みとほぼ同じとし、間詰め材を巾方向に圧縮したときに上記底板と頂板との間に間詰め材が挟持されるようにすることができる。これにより間詰め材の圧縮比率が高まり、十分な弾発力が得られる。
【００２４】
第４の手段は、第１の手段から第３の手段の何れかを有し、かつ
上記間詰め材２と、この間詰め材の積層構造３の少なくとも上半部を覆う化粧カバー１４とで形成され、
かつこの化粧カバーにしわ加工を施している。
【００２５】
圧縮されていない状態でしわのない素材で包装したときには、間詰め材の長手方向のうち圧縮された箇所のみしわが生じ、体裁を損なう。最初からシワのある素材を用いることで、間詰め材の長手方向全体にしわを模様の如く表すことができ、良好な外観が得られる。なお、「しわ加工」とは、機械で生地に凹凸を付けてそのかたちを保つことをいい、従来公知の技術である。
【００２６】
「化粧カバー」は、積層構造の上半部のみを覆う断面コ字形のものでもよいが、積層構造の周囲全体を覆うものでもよい。前者の場合には材料の節減に役立ち、後者の場合には間詰め材を表裏反対にして使用できるというメリットがある。化粧カバーは、和紙などの紙や布、あるいはプラスチックで形成することができる。
【００２７】
第６の手段は、畳状マットであり、
第１の手段から第５の手段の何れかとして記載した畳用間隙充填器具２０を端部材として、長方形の畳状マット体３０の１辺側の側面全長、或いは畳状マット体３０の隣接する２辺の各側面全長に付設している。
【００２８】
このようにすることで、部屋の周囲に畳用間隙充填器具を設置し、次に畳を敷き詰めるという手間が不要となり、畳を敷設する作業が大幅に簡略化される。特に利用者が畳を敷きかえるときに有利である。後述の如く畳状マットは、床板と畳、じゅうたんと畳のような２種類の異なる表面仕上げとすることができるが、その場合に利用者でも部屋の施工誤差に煩わされることなく、簡単に敷き替えが可能となる。なお、畳状マット体は畳そのものでもよい。
【発明の効果】
【００２９】
第１の手段又は第３の手段に係る発明によれば次の効果を奏する。
○弾力層と巾調整層とを組み合わせたから、簡単で構造で十分な挟着力を確保することができ、かつ畳と畳又は壁との巾を調整することが容易であり、部屋の縦横の寸法に合わせて畳をオーダーメードする必要がないので作業工程が単純化される。
○この間詰め材を用いて畳を裏返して使用することができ、資源の有効利用に役立つ。
○間詰め材の巾方向の一部をゴム弾性を有する材料だけで形成したから、上方からの荷重に対する抵抗が大きく、間詰め材の上につま先を載せても沈み込みにくい。
【００３０】
また第１の手段に係る発明によれば、次の効果を奏する。
○巾調整層の両側に弾力層を形成したから、弾力層が巾調整層の保護層となって、他物と接触により巾調整層が切れたりすることを防止することができる。
○弾力層４は、巾調整層に比べて屈曲しにくい弾性板としたから、柔軟な多孔材料で形成した場合に比べて間詰め材を扱うときに曲がりにくく、使い勝手がよい。
【００３１】
第２の手段に係る発明によれば、２枚の弾力層４の上面間に架設する耐力板１２を設けたから、巾調整層付近を足で踏んでも荷重が弾力層へ分散され、巾調整層のみが圧縮されることを防止できるので、歩行者に違和感を与えない。
【００３２】
第３の手段に係る発明によれば、２つの巾調整層を弾力層の両側に設置したから、調整可能な巾を大きくすることができる。
【００３３】
第４の手段に係る発明によれば、上記弾力層４と巾調整層６とからなる積層構造３の少なくとも上半部を覆う化粧カバー１４を設け、かつこの化粧カバーにしわ加工を施したから、体裁がよい。
【００３４】
第５の手段に係る発明によれば、畳状マット体に予め間隙調整器具を端部材として組み込んだから、敷き替え作業が一層容易となる。
【発明を実施するための最良の形態】
【００３５】
図１から図５は、本発明に係る畳用隙間充填器具の第１の実施形態を示している。  本実施形態の畳用充填器具１は、間詰め材２のみで形成されている。
【００３６】
間詰め材２は、畳の一辺（長辺又は短辺）と同じ長さかやや長く設け、畳端E２と部屋の周縁Ｅ１との間に挟みこむことができるように形成されている。この間詰め材２は、図２に示す如く２本の弾力層４を外側に、１本の巾調整層６を内側に配した３層の積層構造３として構成している。本明細書において「巾」とは、別段の説明がない限り、間詰め材の長手方向に直角な水平方向における長さをいう。また、部屋の周縁とは、畳の設置スペースの外周であり、一般的には畳の厚さ分低くなった設置スペースの枠の部分を指す。
【００３７】
弾力層４は、畳よりも軟質の弾性材料（特にゴム）で形成する。畳の周囲に挟着させたときに畳を歪ませないようにするためである。この弾力層の巾は、畳と部屋の周縁とのクッションの役目を果たすことができ、かつ十分な挟着力を確保できる程度の長さで足りる。図２に示す如く、各弾力層は、左右の巾に比べて上下の厚みが大きい縦長の形状にすると、間詰め材全体として屈曲しにくく、好適である。また図示の弾力層は、長手方向に連続した一枚の弾性帯板としている。もっとも例えば厚さ方向に２枚以上の薄板材を重ねて剥離可能に接着し、建築現場において必要により薄板材を剥がして厚さを調節するような構造とすることも可能である。弾力層は、例えば耐候性のよいＥＰＤＭ（エチレンプロピレンゴム）で形成することができる。なお、ＥＰＤＭゴムには、独立気泡型と連続気泡型とがあるが柔軟性に勝る連続気泡型を用いるとよい。ＥＰＤＭ系のゴムとしては、日本ゴム境界標準規格（ＳＲＩＳ）で硬度７〜３５、引っ張り強さが０．２５〜０.９８Ｍｐａ(JISK6251)、見かけ密度０．１０〜０．２４ｇ／ｃｍ３のものが従来公知である。これらの範囲においてゴムの巾（厚み）や高さなどに応じて必要な素材を選択すればよい。
【００３８】
巾調整層６は、柔軟な多孔材料で形成する。巾調整層の巾は、予想される部屋の縦横の寸法の施工誤差に応じて設定する。部屋の何畳ほどの大きさと分かれば誤差もある程度推測できる。従って３〜６畳の部屋用の間詰め材、それ以上の大きな部屋用の間詰め材というように、巾調整層の巾を変えてバリエーションを用意しておくこともできる。
【００３９】
また上記弾力層４及び巾調整層６はそれぞれ接着自在により接合する。また弾力層４及び巾調整層６はそれぞれカッターなどの切断具で切断可能な素材で形成し、現場で長さの微調整をすることができるようにすることが望ましい。
【００４０】
以上の構成において、間詰め材２を巾方向に圧搾すると、図３（Ａ）からまず巾調整層６が主に圧縮され、次に弾力層４が圧縮される。このときの作用を、圧縮応力σと歪εとの関係を表す図４を用いて説明する。この図は、σとεとの関係を、弾力層４について同図（Ａ）に、巾調整層６について同図（Ｂ）に、両者を積層したものについて同図（Ｃ）にそれぞれ単純化して模式的に表している。即ち（Ａ）及び（Ｂ）に示すように巾調整層は弾力層に比べて圧縮し易いので、圧縮力が小さいときには、主として巾調整層が圧縮される。この過程は同図（Ｃ）にＳ１で表されており、巾調整層内の空隙（孔）が周囲から押されて収縮されている。この空隙がほぼ押し潰され、巾調整層の圧縮が限界に近づくと、今度は弾力層４が圧縮されていく。この状態では弾性力が増大する。この過程は図４（Ｃ）のＳ２に表れている。
【００４１】
この間詰め材を用いて畳を敷くときには、まず部屋の壁面の内周全体に間詰め材２を取り付ける。次に間詰め材を敷設した箇所の内側に畳を敷きつめる。そうすると、上記間詰め材は上記の通り、圧縮過程の初期には弱く、その後は強く反発する性質を有するため、容易に畳をセットすることができるとともに、所定の場所に確実に保持することができる。図５に間詰め材を使用した畳の設置例を示している。もっとも同図は間詰め材の役割を強調するために、部屋の寸法の不整さを誇張して描いている。作図の都合上、部屋の各辺は直線としているが、現実には弯曲することも有り得る。この図によれば部屋の各辺において、部屋の周縁と畳端との間隙のうち少なくとも一部で間詰め材２がしっかり挟持されていれば間詰め材の抜出しを防止することができる。
【００４２】
また間詰め材２を畳端沿いの間隙から取り外すときには、間詰め材の両端部のうち余り圧縮されていない一端部において、巾調整層６の縁に指を押し込み、間詰め材の端面に指をかけて引っ張り上げればよい。
【００４３】
以下本発明の他の実施形態を説明する。その説明において、第１の実施形態と同じ構成については、同一の符号を付することで説明を省略する。
【００４４】
図６及び図７は、本発明に係る畳用隙間充填器具の第２の実施形態を示している。
【００４５】
この畳用隙間充填器具１は、図１に示す間詰め材２と耐力板１２とからなり、耐力板１２は間詰め材の積層構造３の上に設けられている。この耐力板は間詰め材の長手方向に長い帯板形状である。もっとも間詰め材と同じ長さであることが望ましい。また耐力板１２は、２つの弾力層４の上面の間に架け渡され、歩行者の体重を支えることができるような強度を有する。この耐力板の上に歩行者の体重が掛ったときに、弾力層が巾調整層側へ座屈することなく、垂直方向に圧縮されるように、弾力層４上面と耐力板下面との重なり代、及び弾力層４の強度を設定することが望ましい。
【００４６】
図示例では、耐力板１２の巾方向両端部を単に弾力層４の上に載置しているだけであり、間詰め材２と耐力板１２とは別体である。これらは、セット物である畳用隙間充填器具として販売される。そして利用者が間詰め材２を用いて畳を部屋に敷いた後に、設置した間詰め材の圧縮の程度をチェックし、圧縮の程度の少ない個所の間詰め材２の上に耐力板１２を設置すればよい。もっとも、この使用方法及び構成は好適な一例である。例えば耐力板１２を例えば巾調整層６の上面の適所に接着し、図７のように左右側面から圧縮されても巾調整層の上面から外れないように設計することも可能である。
【００４７】
図８及び図９は、本発明に係る畳用隙間充填器具の第３の実施形態を示している。この畳用隙間充填器具１は、上述の間詰め材２の上に耐力板１２を載せ、その外周面を化粧カバー１４で覆っている。この化粧カバー１４は、間詰め材の外観を良好とするものである。なお、耐力板は省略することができる。
図８の例では、弾力層４及び巾調整層６からなる積層構造３の上半部を覆っている。この化粧カバーにはシワ加工を施す。しわ加工に代えてギャザーを寄せたものを用いてもよい。横向きコ字形の化粧カバー１４の内面両端部を、積層構造３の両側面に接着している。
【００４８】
また図９の例では、化粧カバー１４は、積層構造３の周面全体を覆っている。
【００４９】
図１０から図１２は、本発明に係る畳用隙間充填器具の第４の実施形態を示している。この実施形態では、弾力層４の両側に２つの巾調整層６を重ね合わせ、接合している。
【００５０】
また、この積層構造３には、巾調整層を保護する補剛材２０を取り付けている。この補剛材２０は、上辺側の長い断面変形コ字形の第１のピース２０Ａと、断面Ｌ字形の第２のピース２０Ｂとで形成している。
【００５１】
第１のピース２０Ａは、側板２２と底板２４と頂板２６とで形成している。ここで側板は巾調整層６を磨耗などから保護する保護板である。底板２４は、部屋の畳敷設スペースに設置する接地板であり、この底面により側板の起立状態を維持している。頂板２６は、上から踏まれたときに間詰め材が過剰に沈み込まないようにするためのものであり、先の実施形態の耐力板と同様の機能を有する。
【００５２】
第２のピース２０Ｂは、側板２２と底板２４とで形成している。側板及び底板の機能は２０Ａと同じである。
【００５３】
この図示例では、変形コ字形のピース２０Ａに取り付けられる側の巾調整層（図左側の巾調整層）６を、２０Ｂに取り付けられる側の巾調整層（図右側の巾調整層）６よりも巾長に形成している。これは、畳用隙間充填器具の要部平面図である図１１に示すように、頂板２６から露出した積層構造３の上面部分において、上方に露出した左側巾調整層の上面部分と、他方の巾調整層の上面とが同じ巾になるようにするためである。この巾は１ｃｍ程度とすることが望ましい。１ｃｍ程度であれば、その上面を踏んでも、違和感がないからである。
【００５４】
補剛材２０は、ステンレスなどの金属、硬質のプラスチック、或いは木材などで形成することができる。また、補剛材の各ピースと間詰め材とは接着剤などで接合してもよく、また別体でも構わない。
【００５５】
上記構成において、図１０の状態より、巾方向に圧縮力がかかると、間詰め材２が圧縮されると同時に２つのピース２０Ａ、２０Ｂが接近する。そして巾の最も狭いところでは、図１２に示す如くピース２０Ａの頂板２６の先端部がピース２０Ｂの側板２の上端に載る。これにより垂直荷重に対する耐力が増大する。それ以外の個所でもピース２０Ａ自体の弾力層４とで荷重を支える。また、図１２の状態で間詰め層は底板２４と頂板２６との間に挟持され、弾性が高まる。
【００５６】
好適な一例として、間詰め材の弾力層の巾を１ｃｍ、図左側の巾調整層の巾を２ｃｍ、図右側の巾調整層の巾を１ｃｍとし、また図示例では、補剛材は、側板から底板先端までの距離を、側面から頂板先端までの距離の半分としている。
［実施例］
図１３及び図１４は、本発明の実施例として、間詰め材及びこの間詰め材とともに使用することが可能な畳状マット体を提案している。
【００５７】
本実施例では、図１３に示す如く上方から見てほぼ正方形の半畳分の畳状マット体３０を用いている。このようにすることで、部屋の回りに間詰め材を設置した後に畳状マット体を簡単に敷設することができる。半畳分のマットとしたのは、重量が小さくなり、反転作業が容易となるからである。
【００５８】
畳状マット体３０は、図１４に示す如く床材３２の表面に畳表３４を、床材の裏面に床板３６をそれぞれ貼り付け、各畳状マット体をひっくり返すだけで畳の部屋から板の間へ部屋のデザインを変更することができる。図面中３８は、ロウなどで形成する仕上げの層であり、ひっくり返したときに床板同士に隙間が生じないようにするものである。また畳表又は床板のいずれか一方を絨毯に置き換え、絨毯敷きの部屋に模様換えすることもできる。ここでいう畳状マット体３０とは、畳のように部屋に敷いて用いるものをいい、床板と絨毯の組み合わせの如く必ずしも外観上畳に見えることを要しない。
【００５９】
図１５から図１７は、本発明に係る畳状マットの実施形態を示している。この畳状マットは、図１から図１２までに示す畳用間隙充填器具２と図１３から図１４に示す畳状マット体３０とを組み合わせたものである。
【００６０】
図１５には、１２枚の畳状マットＭを敷き詰めている状態を示しているが、そのうち角部にある畳状マットＭは、畳状マット体３０の隣接する２辺に畳用間隙充填器具２を端部材として接合している。また角部以外にある畳状マットは、畳状マット体３０の１辺に畳用間隙充填器具でなる端部材を接合している。また図示の畳状マット体２０は正方形に形成しているが、短辺と長辺の比が１：２の長方形であってもよい。
【００６１】
図示の畳用間隙充填器具は、図１に示す３層構造の間詰め材２のみで形成している。この間詰め材は畳隣り合う２辺に間詰め材２を取り付けるときには、各間詰め材を畳状マット材の各辺から角方向に延長し、この延長部分を図１５に示す如く４５度にカットして、各延長部分の角部分を接合するとよい。こうすると、部屋の隅部にぴったりと合うように間詰め材を設計することができる。
【００６２】
図１６は、図１５の間詰め材を端部材として取り付けた場合の拡大図を示している。
【００６３】
図１７は、間詰め材のみで構成される間隙充填器具２に代えて図１０の補剛材付き間隙充填器具を示している。この場合には、畳状マットの２辺方向の伸縮を邪魔しないようにピース２０Ｂをゴム板などの弾性材で形成するとよい。
【００６４】
上記構成において、畳状マットＭを裏返すときには、図１５において、部屋の１辺の両隅にある２つの畳状マットＭを矢示の如く交換し、裏返すようにするとよい。また一辺のみ間隙充填器具２を付した畳状マットＭはその場でひっくり返すようにすればよい。これにより畳を引いた和風の部屋からフローリングの部屋に簡単に模様替えすることができる。
【００６５】
図１８は、従来の畳の敷設例を示す。すなわち、従来の畳では、不規則な部屋の寸法形状に合わせて図１８（Ａ）の如く個々の畳を作成したいたため、各畳をひっくり返すと図１８（Ｂ）に想像線で示す如く各畳の形状が部屋の形状と一致しなくなってしまう。それに対して本発明の場合には、そうした不都合を回避することができる。
【図面の簡単な説明】
【００６６】
【図１】本発明の第１実施形態に係る畳用隙間充填器具の平面図である。
【図２】図１の間隙充填器具の使用例の斜視図である。
【図３】図１の間隙充填器具の作用説明図である。
【図４】図１の間隙充填器具の巾調整層、弾力層、及び全体の応力−歪み特性の概念図である。
【図５】図１の間隙充填器具の使用例を示す平面図である。
【図６】本発明の第２実施形態に係る畳用隙間充填器具の縦断面である。
【図７】図６の隙間充填器具の作用説明図である。
【図８】本発明の第２実施形態に係る畳用隙間充填器具の縦断面である。
【図９】図８の畳用隙間充填器具の変形例を示す要部斜視図である。
【図１０】本発明の第３実施形態に係る畳用隙間充填器具の縦断面である。
【図１１】図１１の間隙充填器具の要部平面図である。
【図１２】図１１の間隙充填器具の圧縮時の縦断面図である。
【図１３】本発明の実施例として畳状マットの敷設例を示している。
【図１４】図１３の畳状マット体の断面図である。
【図１５】本発明に係る畳状マットの敷設例を示すものである。
【図１６】図１５の畳状マットの要部拡大縦断面図である。
【図１７】図１５の要部の変形例を示す図である。
【図１８】従来の畳の敷設例を示す図である。
【符号の説明】
【００６７】
２…間隙充填器具  ３…積層構造  ４…弾力層  ６…巾調整層  ８…耐力板
１０…畳用隙間充填器具  １２…耐力板  １４…化粧カバー    
２０…補剛材  ２０Ａ…第１ピース  ２０Ｂ…第２ピース
２２…側板  ２４…底板  ２６…頂板
３０…畳状マット体  ３２…床材  ３４…畳表  ３６…床板
Ｍ…畳  Ｂ…壁  E１…部屋の周縁  E２…畳端
【図１】
0004484919.tif 000002
【図２】
0004484919.tif 000003
【図３】
0004484919.tif 000004
【図４】
0004484919.tif 000005
【図５】
0004484919.tif 000006
【図６】
0004484919.tif 000007
【図７】
0004484919.tif 000008
【図８】
0004484919.tif 000009
【図９】
0004484919.tif 000010
【図１０】
0004484919.tif 000011
【図１１】
0004484919.tif 000012
【図１２】
0004484919.tif 000013
【図１３】
0004484919.tif 000014
【図１４】
0004484919.tif 000015
【図１５】
0004484919.tif 000016
【図１６】
0004484919.tif 000017
【図１７】
0004484919.tif 000018
【図１８】
0004484919.tif 000019